(57)【特許請求の範囲】
【請求項１】
データ信号および伝送路推定で使用する参照信号を時間および周波数で定義される領域内に配置して基地局へ送信する通信装置であって、
前記データ信号を生成するデータ生成部と、
前記参照信号を生成する参照信号生成部と、
予め決められている複数の配置パターンのうち、前記基地局により指定された配置パターンに従って前記参照信号を前記領域内に配置するとともに、前記データ信号を前記基地局からの指示に従って前記領域内に配置する多重部と、
を備え、
前記領域は、時間の長さが異なる複数種類の領域を含み、
前記複数の配置パターンは、前記複数種類の領域のそれぞれについての配置パターンを含む、
ことを特徴とする通信装置。
【請求項２】
データ信号および伝送路推定で使用する参照信号を時間および周波数で定義される領域内に配置して基地局へ送信する通信装置であって、
前記データ信号を生成するデータ生成部と、
前記参照信号を生成する参照信号生成部と、
予め決められている複数の配置パターンのうち、前記基地局により指定された配置パターンに従って前記参照信号を前記領域内に配置するとともに、前記データ信号を前記基地局からの指示に従って前記領域内に配置する多重部と、
を備え、
前記領域は、時間の長さが異なる複数種類の領域を含み、
前記複数の配置パターンの各々は、前記領域の時間方向における前記参照信号の位置を示し、
前記多重部は、前記複数種類の領域のうち、時間の長さが最も短い領域の時間の長さと一致する間隔で前記参照信号を配置する、
ことを特徴とする通信装置。
【請求項３】
前記多重部は、前記複数の配置パターンの情報を保持し、前記複数の配置パターンの１つを示すパラメタにより、使用する配置パターンの指示を前記基地局から受ける、
ことを特徴とする請求項１または２に記載の通信装置。
【請求項４】
前記多重部は、複数の連続する前記領域にわたって前記参照信号を配置する、
ことを特徴とする請求項１から３のいずれか一つに記載の通信装置。
【請求項５】
請求項１から４のいずれか一つに記載の通信装置と、
前記通信装置に対して前記複数の配置パターンの中のいずれか一つを指定して前記参照信号の送信を指示する基地局と、
を備えることを特徴とする通信システム。
【請求項６】
アップリンクの伝送路推定で使用する参照信号を時間および周波数で定義される領域内に配置して送信する端末と通信する基地局であって、
前記参照信号の前記領域内における配置を予め決められている複数の配置パターンの中の１つに決定し、決定した配置パターンを示す制御信号を生成する制御信号生成部と、
前記制御信号を含んだ送信信号を生成する送信信号生成部と、
前記送信信号を無線信号に変換して前記端末へ送信する無線信号送信部と、
を備え、
前記領域は、時間の長さが異なる複数種類の領域を含み、
前記複数の配置パターンは、前記複数種類の領域のそれぞれについての配置パターンを含む、
ことを特徴とする基地局。
【請求項７】
アップリンクの伝送路推定で使用する参照信号を時間および周波数で定義される領域内に配置して送信する端末と通信する基地局であって、
前記参照信号の前記領域内における配置を予め決められている複数の配置パターンの中の１つに決定し、決定した配置パターンを示す制御信号を生成する制御信号生成部と、
前記制御信号を含んだ送信信号を生成する送信信号生成部と、
前記送信信号を無線信号に変換して前記端末へ送信する無線信号送信部と、
を備え、
前記領域は、時間の長さが異なる複数種類の領域を含み、
前記複数の配置パターンの各々は、前記領域の時間方向における前記参照信号の位置を示し、
前記複数種類の領域のうち、時間の長さが最も短い領域の時間の長さと一致する間隔で前記参照信号を前記端末に配置させる、
ことを特徴とする基地局。
【発明の詳細な説明】
【技術分野】
【０００１】
本発明は、通信装置、通信システムおよび基地局に関する。
【背景技術】
【０００２】
デジタル通信システムにおいて、送信信号が建物などに反射して起こるマルチパスフェージングまたは端末の移動によって起こるドップラ変動によって、伝送路の周波数選択性と時間変動とが発生する。このようなマルチパス環境において、受信信号は送信シンボルと遅延時間が経って届くシンボルが干渉した信号となる。
【０００３】
このような周波数選択性のある伝送路において、最良の受信特性を得るためシングルキャリア（Single  Carrier：ＳＣ）ブロック伝送方式が近年注目を集めている（例えば、非特許文献１参照）。ＳＣブロック伝送方式は、マルチキャリア（Multiple  Carrier：ＭＣ）ブロック伝送であるＯＦＤＭ（Orthogonal  Frequency  Division  Multiplexing）伝送方式（例えば、非特許文献２参照）と比較して、伝送される信号のピーク電力と平均電力との比を小さくすることができる。
【０００４】
ＳＣブロック伝送を行う送信機では、例えば次のような伝送を行うことによりマルチフェージング対策を行っている。まず、“Modulator”においてデジタル変調信号であるＰＳＫ（Phase  Shift  Keying）信号またはＱＡＭ（Quadrature  Amplitude  Modulation）信号を生成後、プリコーダおよびＩＤＦＴ（Inverse  Discrete  Fourier  Transform）処理部によりデジタル変調信号を時間領域信号に変換する。その後マルチパスフェージング対策として、ＣＰ（Cyclic  Prefix）挿入部においてＣＰが挿入される。ＣＰ挿入部では時間領域信号の後ろの所定数のサンプルをコピーして、送信信号の初めに付加する。また、送信信号のピーク電力と平均電力との比を抑圧するため、ＳＣブロック伝送を行う送信機のプリコーダにおいては、ＤＦＴ（Discrete  Fourier  Transform）処理が一般的に行われる。
【０００５】
ＳＣ−ＦＤＭＡ（Single  Carrier  Frequency  Division  Multiple  Access）はマルチユーザ多重向けのＳＣブロック伝送方式である。ＳＣ−ＦＤＭＡ方式は、一般的には、各ユーザに使用帯域が与えられ、複数のユーザが周波数上で多重される。ＳＣ−ＦＤＭＡ方式の詳細は、例えば非特許文献３に記載されている。
【先行技術文献】
【非特許文献】
【０００６】
【非特許文献１】N．Benvenuto，R．Dinis，D．Falconer  and  S．Tomasin，“Single  Carrier  Modulation  With  Nonlinear  Frequency  Domain  Equalization：An  Idea  Whose  Time  Has  Come−Again”，Proceedings  of  the  IEEE，vol.98，No.1，Jan．2010，pp.69−96．
【非特許文献２】J．A．C．Bingham，“Multicarrier  Modulation  for  Data  Transmission：An  Idea  Whose  Time  Has  Come”，IEEE  Commun．Mag．，vol．28，No．5，May  1990，pp．5−14．
【非特許文献３】H．G．Myung、et  al，“Single  Carrier  FDMA  for  Uplink  Wireless  Transmission”，IEEE  Vehicular  Tech．Magazine，Sept.2006，pp.30-38.
【発明の概要】
【発明が解決しようとする課題】
【０００７】
基地局と移動局であるユーザ端末とが通信を行う通信システムにおいて、ユーザ端末が基地局へ無線信号を送信する通信路をアップリンクと呼び、基地局がユーザ端末へ無線信号を送信する通信路をダウンリンクと呼ぶ。なお、ユーザ端末はＵＥ（User  Equipment）とも呼ばれる。
【０００８】
ＬＴＥ（Long  Term  Evolution）−Ａｄｖａｎｃｅｄなどのシステムにおいて、アップリンクではＳＣ−ＦＤＭＡが用いられている。また、アップリンクでＳＣ−ＦＤＭＡが用いられるシステムにおいて、ＵＥは、基地局がアップリンクの伝送路推定で使用するＳＲＳ（Sounding  Reference  Signal）をアップリンクで送信する。
【０００９】
ＳＲＳは、一般的に、アップリンク信号内の予め決められた箇所に配置して送られる。例えば、標準化団体である３ＧＰＰ（3rd  Generation  Partnership  Project）で作成された規格であるＲｅｌｅａｓｅ１２（以下、３ＧＰＰ  Ｒｅｌｅａｓｅ１２とする）においては、ＦＤＤ（Frequency  Division  Duplexing）を行う場合、サブフレームの最後のＳＣ−ＦＤＭＡシンボルでＳＲＳを送信することが規定されている。ここで、３ＧＰＰ  Ｒｅｌｅａｓｅ１２では、Ｎｏｒｍａｌ  ＣＰのモードの場合、アップリンクで送信するサブフレームが１４ＳＣ−ＦＤＭＡシンボルにより構成されている。ＳＲＳは複数のシンボルで構成される系列であり、３ＧＰＰ規格では、Zadoff  Chu系列を使用することが規定されている。
【００１０】
また、３ＧＰＰ  Ｒｅｌｅａｓｅ１２などにおいてＴＴＩ（Transmission  Time  Interval）が定義されている。ＴＴＩはスケジューリングの単位であり、基地局は１ＴＴＩごとに、無線リソースを各ＵＥに割り当てる。１ＴＴＩは２スロットによって成り立ち、１サブフレームに相当する。ＴＴＩの長さは今後縮小される可能性があり、ＴＴＩの長さを縮小する場合には、ＴＴＩに含まれる制御情報を効率良く送信する必要がある。ＴＴＩに含まれる制御情報の割合が大きくなると、データ伝送用の無線リソースが圧迫され、伝送効率が低下するという問題がある。
【００１１】
また、ＴＴＩの長さが縮小された場合、ＳＲＳを配置する箇所を最適化する必要があると考えられる。３ＧＰＰ  Ｒｅｌｅａｓｅ１２では、ＳＲＳの送信をサブフレームの最後のＳＣ−ＦＤＭＡシンボルで行うように固定されている。３ＧＰＰ  Ｒｅｌｅａｓｅ１２では、ＳＲＳを非定期的に送信する場合についても規定されているが、ＳＲＳを非定期的に送信する場合にも、ＵＥは、ＳＲＳをサブフレームの最後のＳＣ−ＦＤＭＡシンボルで送信するように規定されている。すなわち、ＴＴＩ内のどこにＳＲＳを配置して送信するかは、ＳＲＳを定期的に送信する場合および非定期的に送信する場合のいずれにおいても固定である。今後、ＴＴＩの長さが縮小される場合、サブフレームの最後のＳＣ−ＦＤＭＡシンボル以外のシンボルにてＳＲＳを送信する必要が生じる可能性もある。また、ＳＲＳの配置を固定とするのではなく、必要に応じて適宜変更できるようにする可能性もある。
【００１２】
本発明は、上記に鑑みてなされたものであって、基地局から送信される制御情報が増加するのを抑えつつ、基地局が伝送路推定で使用する信号の送信位置の変更を実現可能な通信装置を得ることを目的とする。
【課題を解決するための手段】
【００１３】
上述した課題を解決し、目的を達成するために、本発明は、データ信号および伝送路推定で使用する参照信号を時間および周波数で定義される領域内に配置して基地局へ送信する通信装置である。通信装置は、データ信号を生成するデータ生成部と、参照信号を生成する参照信号生成部とを備える。また、通信装置は、予め決められている複数の配置パターンのうち、基地局により指定された配置パターンに従って参照信号を領域内に配置するとともに、データ信号を基地局からの指示に従って領域内に配置する多重部を備える。領域は、時間の長さが異なる複数種類の領域を含み、複数の配置パターンは、複数種類の領域のそれぞれについての配置パターンを含む。
【発明の効果】
【００１４】
本発明によれば、基地局から送信される制御情報が増加するのを抑えつつ、基地局が伝送路推定で使用する信号の送信位置の変更を実現可能な通信装置を得ることができる、という効果を奏する。
【図面の簡単な説明】
【００１５】
【図１】実施の形態１にかかる通信システムの構成例を示す図
【図２】実施の形態１にかかるＳＲＳの配置パターンの候補の例を示す図
【図３】実施の形態１にかかるＳＲＳの配置パターンの他の候補の例を示す図
【図４】実施の形態１にかかる端末の構成例を示す図
【図５】実施の形態１にかかる基地局の構成例を示す図
【図６】実施の形態１にかかる端末の他の構成例を示す図
【図７】実施の形態１にかかる端末の他の構成例を示す図
【図８】実施の形態１にかかる端末の動作の一例を示すフローチャート
【図９】実施の形態１にかかるＳＲＳの配置パターンの例を示す図
【図１０】実施の形態１にかかるＳＲＳの配置パターンの例を示す図
【図１１】実施の形態１にかかるＳＲＳの配置パターンの例を示す図
【図１２】実施の形態２にかかるＳＲＳの配置パターンの例を示す図
【図１３】実施の形態１にかかる端末を実現するハードウェアを示す図
【図１４】実施の形態１にかかる端末を実現する他のハードウェアを示す図
【図１５】実施の形態２にかかるＳＲＳの配置パターンの例を示す図
【図１６】実施の形態２にかかるＳＲＳの配置パターンの例を示す図
【図１７】実施の形態３にかかる端末が送信する信号内のＳＲＳの配置パターンの例を示す図
【図１８】実施の形態３にかかる端末が送信する信号内のＳＲＳの配置パターンの例を示す図
【発明を実施するための形態】
【００１６】
以下に、本発明の実施の形態にかかる通信装置、通信システムおよび基地局を図面に基づいて詳細に説明する。なお、この実施の形態によりこの発明が限定されるものではない。
【００１７】
実施の形態１．
図１は、実施の形態１にかかる通信システムの構成例を示す図である。図１に示したように、通信システム３は、基地局１およびユーザ端末である端末２を備える。図１では基地局１と通信する端末２を１台としているが、複数の基地局及び移動局が含まれていてもよく、例えば実際には１台以上の端末２が基地局１と通信可能である。端末２が本発明の実施の形態１にかかる通信装置である。本実施の形態においてはアップリンク用の信号をＳＣ−ＦＤＭＡとして説明を行うが一例であり、本実施の形態はＯＦＤＭＡ（ＯＦＤＭ  Ａｃｃｅｓｓ）のような他の信号を送信する通信システムにも適用が可能である。
【００１８】
ここで、本実施の形態の概要について、前提としている技術とともに簡単に説明する。３ＧＰＰ  Ｒｅｌｅａｓｅ１２では、ＳＲＳを非定期的に送信する処理である非定期ＳＲＳ送信において、ＦＤＤの場合、サブフレームの最後のＳＣ−ＦＤＭＡシンボルでＳＲＳを送信することが規定されている。すなわち、３ＧＰＰ  Ｒｅｌｅａｓｅ１２のシステムでは、ＳＲＳを１ＴＴＩにつき１ＳＣ−ＦＤＭＡシンボルしか送信することができず、１サブフレーム内で複数のＳＲＳを送信することはできない。
【００１９】
１サブフレームで複数のＳＲＳを送信する場合、ＰＵＣＣＨ（Physical  Uplink  Control  Channel）およびＰＵＳＣＨ（Physical  Uplink  Shared  Channel）と衝突しないようにＳＲＳを配置する必要がある。また、ＳＲＳの配置を示す制御情報を基地局と端末との間で送受信する必要がある。非定期ＳＲＳを用いてＳＲＳをＳＣ−ＦＤＭＡシンボルにて時間軸上で連続送信する場合、時間軸上のＳＲＳの配置を示す制御情報も必要となり、物理レイヤよりも上位のレイヤにおいて必要な、制御情報送信用のビット数が増えてしまう。
【００２０】
ＳＲＳ送信に関連する制御情報は、パラメタ設定用の信号により基地局から端末に向けて送信される。基地局は、例えば３ＧＰＰ規格において規定されたＲＲＣ（Radio  Resource  Control）情報またはＤＣＩ（Downlink  Control  Information）を使用して、ＳＲＳ送信に関連する制御情報を端末へ送信する。基地局は、ＰＤＳＣＨ（Physical  Downlink  Shared  Channel）、または、ＰＤＣＣＨ（Physical  Downlink  Control  Channel）などにより、ＲＲＣ情報およびＤＣＩを端末へ送信する。ＲＲＣ情報にはＳＲＳ向けのパラメタが含まれる。例えば、ＳＲＳが定期的に送信される場合、ＳＲＳが送信される周期などを示すパラメタがＲＲＣ情報に含まれる。ＤＣＩは、適応的にＳＲＳを端末から送信させる場合のトリガ情報、および、ＲＲＣ情報によって設定されたパラメタの候補の中の１つを示す情報などが含まれる。パラメタの候補の例としてＳＲＳの長さ、等がある。
【００２１】
３ＧＰＰで規定された「DCI  format  4」の「SRS  request  field」は、４候補のパラメタセットの中の１つを指定する構成とされている。すなわち、３ＧＰＰ規格では、基地局はＤＣＩによって適応的にＳＲＳ送信パラメタを選択できるようになっている。
【００２２】
ここでは３ＧＰＰに対応する通信システムの例を示したが、一般的に、通信システムでは、基地局より送られるパラメタを端末が読み込み、パラメタに従って端末が適時アップリンク用パイロット信号などを送信する手法が用いられている。
【００２３】
複数のＳＲＳを非定期的に送信する場合、基地局はＤＣＩ等の制御情報を端末へ頻繁に送信する必要がある。例えば、３ＧＰＰ規格においてＤＣＩはＰＤＣＣＨ等を用いて、送信される。すなわち、適応的にＳＲＳのパラメタを変更する構成の通信システムを実現する場合、基地局と端末との間で送受信される制御情報が増えてしまう。そこで、本実施の形態にかかる通信システムでは、制御情報の送信に必要なビット数の増加を抑圧するため、ＳＲＳを送信する時間、送信するＳＲＳの数、およびＳＲＳを送信する周波数の場所の候補、すなわちＳＲＳの配置パターンの候補をあらかじめ用意しておく。配置パターンは、時間および周波数で定義される領域内のどこにＳＲＳを配置して送信するかを示す情報である。本実施の形態の通信システムでは、ＳＲＳの配置パターンの候補を複数種類用意しておく。前述の配置パターンにおいて、時間および周波数で定義される領域の時間方向のサイズは、ＴＴＩの整数倍とし、時間方向の最小サイズは１ＴＴＩとする。ＳＲＳの１ＴＴＩの中の時間および周波数の配置は配置パターンの候補毎に異なる。また、複数種類の候補として、連続するＳＣ−ＦＤＭＡシンボルにてＳＲＳを送信する配置パターン、および、連続するＳＣ−ＦＤＭＡシンボルの各ＳＣ−ＦＤＭＡシンボルにおいて複数の周波数に分散してＳＲＳを送信する配置パターンなどを用意する。ＳＲＳの配置パターンを予め用意しておくことで、ＳＲＳの配置の詳細を示す制御情報の送受信が不要となり、基地局から端末へ送信される制御情報を削減できる。この結果、ＳＲＳの送信を指示するために基地局が制御情報を送信する回数を減らすことができる。さらに、候補の指定番号すなわち識別番号を決めておき、基地局は、使用する配置パターンの識別番号を制御情報内に設定して送信することで、様々な配置パターンでのＳＲＳの送信を、ＳＲＳの送信指示で使用する制御用ビットの増加量を抑えつつ実現することができる。
【００２４】
図２は、実施の形態１にかかるＳＲＳの配置パターンの候補の例を示す図である。図２は、１フレームが１０サブフレーム、すなわち１０ＴＴＩによって構成され、かつ１ＴＴＩが３ＳＣ−ＦＤＭＡシンボルによって構成された場合のＳＲＳの配置パターンの例を示している。図２においてはＳＲＳをハッチングで示している。また、図２では、５ＴＴＩにおいてＳＲＳを送信する場合の３つの配置パターンの候補を配置＃１、＃２および＃３として示している。図２に示した例は１フレームごとの配置パターンとしているが、配置パターンの時間方向のサイズ、すなわち１つの配置パターンに含まれるＴＴＩの数を図２に示したものに限定するものではない。上述したように、配置パターンの時間方向のサイズは１ＴＴＩの整数倍であればよい。
【００２５】
図２に示した配置＃１においては、最初にＳＲＳを送信してから１ＴＴＩ経過後、３ＴＴＩにわたり連続してＳＲＳを送信する。そして、１ＴＴＩ経過後にＳＲＳを送信する。配置＃２においては、最初にＳＲＳを送信してから２ＴＴＩ経過後、３ＴＴＩにわたり連続してＳＲＳを送信する。そして、２ＴＴＩ経過後にＳＲＳを送信する。配置＃３においては、最初のＳＲＳ送信として、周波数軸上に分散させたＳＲＳを送信し、１ＴＴＩ経過後、３ＴＴＩにわたり連続してＳＲＳを送信する。そして、１ＴＴＩ経過後に、周波数軸上に分散させたＳＲＳを送信する。
【００２６】
現在の３ＧＰＰ規格においては、同じＴＴＩ内で複数のＳＲＳの送信を許可するための制御情報が規定されていない。本実施の形態にかかる通信システムにおいては、図２に示した具体例のような複数の配置パターンの候補を用意しておき、複数の候補の中の１つを、基地局から送信される制御情報に従って端末が選択し、選択した配置パターンに従ってＳＲＳを送信する。これにより、ＳＲＳの配置パターンを示す制御情報を少ないビット数で基地局から端末へ送信することが可能となる。また、図３に示した配置、すなわち、ＳＲＳを周波数軸上で複数に分け、同じＴＴＩ内で複数回送信する配置、および周波数軸上のＳＲＳの密度を変えて送信する配置も可能となる。図３に示した配置＃１１および＃１２は、ＴＴＩ毎にＳＲＳの密度を変化させる配置パターンの例である。ＳＲＳの配置パターンは、図２および図３に示した例に限定されない。図２および図３に示したＳＲＳの配置パターンの候補を示す情報は、例えば、基地局がＲＲＣ情報内に設定して端末へ送信する。
【００２７】
図４は、実施の形態１にかかる端末の構成例を示す図である。端末２は、無線信号受信部２１、分離部２２、データ信号受信部２３、制御信号受信部２４、ＳＲＳ生成部２５、データ生成部２６、多重部２７、送信信号生成部２８および無線信号送信部２９を備える、なお、図４では、無線信号を送受信するためのアンテナ等の記載を省略している。
【００２８】
無線信号受信部２１は、基地局１から送信された無線信号であるダウンリンク信号に対してダウンコンバートおよびアナログデジタル変換などを実行して受信ベースバンド信号を生成し、分離部２２へ出力する。
【００２９】
分離部２２は、無線信号受信部２１から入力された受信ベースバンド信号を制御信号とデータ信号とに分離し、制御信号を制御信号受信部２４へ振り分けるとともに、データ信号をデータ信号受信部２３へ振り分ける。基地局からデータ信号および制御信号の位置は通知されているので、分離部２２は指定された時間および周波数位置から制御信号およびデータ信号を抽出する。
【００３０】
データ信号受信部２３は、分離部２２から入力されたデータ信号に対して復調処理などを含む受信処理を実行し、基地局１から送信されてきたデータ系列を復元する。データ信号受信部２３により復元されたデータ系列は、図示を省略している上位レイヤの処理部などに送られ、上位レイヤにおいて処理される。
【００３１】
制御信号受信部２４は、分離部２２から入力された制御信号に対して復調処理などを含む受信処理を実行し、基地局１から送信されてきた制御情報を復元する。制御信号受信部２４は、復元した制御情報に基づいて、多重部２７および送信信号生成部２８へ出力する制御信号を生成する。
【００３２】
制御信号受信部２４はＲＲＣ解読部２４１を備える。ＲＲＣ解読部２４１は、基地局１から受信した制御信号に含まれるＲＲＣ情報の内容を解読する。ＲＲＣ情報には、端末２が基地局１へ送信するＳＲＳの配置に関連する情報が含まれているものとする。具体的には、ＳＲＳの配置情報、ユーザ多重用の制御情報およびＴＴＩの長さの情報がＲＲＣ情報に含まれている。
【００３３】
ＳＲＳの配置情報とは、ＳＲＳの配置パターンの複数候補の中のいずれか１つを示す情報である。ＳＲＳの配置パターンの各候補は予め決められており、各候補に対応するＳＲＳの配置パターンの詳細を示す情報であるＳＲＳ詳細情報は、端末２および基地局１が予め保持しているものとする。端末２においては多重部２７がＳＲＳ詳細情報を保持しているものとする。多重部２７は、各候補を示す番号と一緒にＳＲＳ詳細情報を保持するものとする。各候補を示す番号は、後述する選択番号に相当する。
【００３４】
ユーザ多重用の制御情報とは、端末２が送信可能なシンボル時間および周波数を示す情報、すなわち、アップリンクのスケジューリング結果を示す情報である。基地局１に対して信号を送信する端末が複数存在する場合、基地局１は、各端末が送信可能なシンボル時間および周波数が衝突しないように、シンボル時間および周波数を各端末に割り当て、割り当てた結果をユーザ多重用の制御情報として、ＲＲＣ情報に含ませて各端末へ送信する。なお、基地局１は、各端末について、送信するデータ信号およびＳＲＳが、他の端末から送信されるデータ信号およびＳＲＳのいずれとも衝突しないようにアップリンクのスケジューリングを行う。
【００３５】
ＴＴＩの長さの情報は、１ＴＴＩを構成するＳＣ−ＦＤＭＡシンボルの時間軸上の数を示す。本実施の形態にかかる通信システムでは、ＴＴＩの長さを可変とし、基地局１は、ＴＴＩの長さを決定し、ＴＴＩの長さの情報をＳＲＳの配置に関する情報に含めて送信する。
【００３６】
制御信号受信部２４は、ＲＲＣ解読部２４１においてＲＲＣ情報の解読が完了すると、ＳＲＳの配置に関連する情報の内容に基づいて、多重部２７および送信信号生成部２８のそれぞれに対する制御信号を生成して出力する。具体的には、制御信号受信部２４は、多重部２７に対して、選択番号を示す制御信号およびユーザ多重用制御信号を生成して出力する。なお、図４では選択番号を示す制御信号を単に選択番号と記載している。選択番号は、上述したＳＲＳの配置パターンの複数候補の中のいずれか１つを示す番号である。ユーザ多重用制御信号は、データの送信用に割り当てられた無線リソース、すなわち、データ送信が可能なシンボル時間および周波数を示す信号である。データ送信用の無線リソースが割り当てられなかった場合、制御信号受信部２４は、その旨を示すユーザ多重用制御信号、すなわちデータ送信不可を示すユーザ多重用制御信号を生成する。また、制御信号受信部２４は、送信信号生成部２８に対して、ＴＴＩ長制御信号を生成して出力する。ＴＴＩ長制御信号とは、ＴＴＩの長さ、すなわち１ＴＴＩを構成するＳＣ−ＦＤＭＡシンボルの時間軸上の数を示す信号である。なお、一般的に１ＳＣ−ＦＤＭＡシンボルの時間は秒で示される。
【００３７】
ＳＲＳ生成部２５は、アップリンクの伝送路推定で使用する参照信号であるＳＲＳを生成し、生成したＳＲＳを多重部２７へ出力する。ＳＲＳ生成部２５は参照信号を生成する参照信号生成部である。
【００３８】
データ生成部２６は、ＰＳＫまたはＱＡＭなどの変調方式によりデータシンボルを生成し、データ信号である生成したデータシンボルを多重部２７へ出力する。
【００３９】
多重部２７は、ＳＲＳ生成部２５から入力されたＳＲＳとデータ生成部２６から入力されたデータシンボルとを基地局１から受信した制御情報に基づいて多重し、送信信号生成部２８へ出力する。ここでの多重とは、時間および周波数で定義される領域内にＳＲＳおよびデータシンボルを配置することを意味する。多重部２７は、制御信号受信部２４から入力された制御信号が示すにより決まる時間および周波数にＳＲＳを配置し、制御信号受信部２４から入力されたユーザ多重用制御信号が示す時間および周波数にデータシンボルを配置する。上述したように制御信号受信部２４から多重部２７に入力される制御信号が示す選択番号は、ＳＲＳの配置パターンの複数候補の中のいずれか１つを示す。また、多重部２７は、ＳＲＳの配置パターンの各候補の詳細を示すＳＲＳ詳細情報を、各候補に対応する選択番号とともに保持している。そのため、多重部２７は、制御信号受信部２４から選択番号を示す制御信号が入力されると、ＳＲＳをどのように配置すべきかを把握できる。なお、ユーザ多重用制御信号がデータ送信不可を示している場合、多重部２７はデータシンボルを配置せずに、ＳＲＳの配置のみを行う。
【００４０】
送信信号生成部２８は、制御信号受信部２４から入力されたＴＴＩ長制御信号に従い、多重部２７から入力されたＴＴＩ単位の信号、すなわちＳＲＳおよびデータシンボルと、図示を省略している制御信号生成部で生成された、基地局１へ送信する制御信号とをサブフレーム内に配置して送信信号を生成し、無線信号送信部２９へ出力する。送信信号生成部２８は、ここでは３ＧＰＰにて規格化されたＳＣ−ＦＤＭＡの信号を生成するものとするが、ＳＣ−ＦＤＭＡに限定されず、ＯＦＤＭの信号生成を行う構成としてもよい。
【００４１】
無線信号送信部２９は、送信信号生成部２８から入力された送信信号に対してデジタルアナログ変換処理およびアップコンバートなどを実行して無線送信信号を生成し、アップリンク信号として基地局１へ送信する。
【００４２】
図５は、実施の形態１にかかる基地局の構成例を示す図である。基地局１は、データ生成部１１、制御信号生成部１２、送信信号生成部１３、無線信号送信部１４、無線信号受信部１５、分離部１６、データ信号受信部１７および制御信号受信部１８を備える、なお、図５では、無線信号を送受信するためのアンテナ等の記載を省略している。
【００４３】
データ生成部１１は、ＰＳＫまたはＱＡＭなどの変調方式によりデータシンボルを生成し、送信信号生成部１３へ出力する。
【００４４】
制御信号生成部１２は、ユーザ多重用制御信号、ＳＲＳ向け制御信号およびＴＴＩ長制御信号を生成し、生成した各制御信号を送信信号生成部１３へ出力する。
【００４５】
ユーザ多重用制御信号は、基地局１に接続中の各端末に対して割り当てる、上りデータ送信用の無線リソースを示す信号である。上りデータとは、各端末から基地局１に向けて送信されるデータである。なお、制御信号生成部１２は、各端末が保持している上りデータのデータ量および各端末から基地局１へのアップリンクの伝送路状態などに基づいて、各端末に割り当てる上りデータ送信用の無線リソースを決定する。各端末に割り当てる上りデータ送信用の無線リソースの決定は、制御信号生成部１２ではなくスケジューラなどを別途設けてそこで行うようにしてもよい。制御信号生成部１２は、ユーザ多重用制御信号を端末ごとに個別に生成する。すなわち、制御信号生成部１２は、端末と同じ数のユーザ多重用制御信号を生成する。
【００４６】
ＳＲＳ向け制御信号は、ＳＲＳの配置を示す信号である。本実施の形態のＳＲＳ向け制御信号は、予め決められているＳＲＳの配置パターンの複数の候補のいずれか１つに対応している選択番号を示すものとする。制御信号生成部１２は、ＳＲＳ向け制御信号を、基地局１に接続中の端末ごとに個別に生成する。各端末が送信するＳＲＳの配置パターンを制御信号生成部１２が決定する方法については特に規定しないが、例えば、制御信号生成部１２は、基地局１に接続中の端末の数に基づいて、接続中の端末の数が増加すると、各端末が１つのサブフレーム内に配置するＳＲＳの数が少なくなる配置を選択する。
【００４７】
ＴＴＩ長制御信号は、ＴＴＩの長さを示す信号である。制御信号生成部１２は、基地局１に接続中の各端末に共通のＴＴＩ長制御信号を生成する。ＴＴＩの長さを制御信号生成部１２が決定する方法については特に規定しないが、例えば、制御信号生成部１２は、基地局１に接続中の端末の数に基づいて、接続中の端末の数が増加すると、ＴＴＩを長くする。
【００４８】
送信信号生成部１３は、データ生成部１１から入力されたデータシンボルと、制御信号生成部１２から入力されたユーザ多重用制御信号、ＳＲＳ向け制御信号およびＴＴＩ長制御信号とをダウンリンクのサブフレーム内に配置して送信信号を生成し、無線信号送信部１４へ出力する。
【００４９】
無線信号送信部１４は、送信信号生成部１３から入力された送信信号に対してデジタルアナログ変換処理およびアップコンバートなどを実行して無線送信信号を生成し、ダウンリンク信号として端末２へ送信する。
【００５０】
無線信号受信部１５は、端末２から送信された無線信号であるアップリンク信号に対してダウンコンバートおよびアナログデジタル変換などを実行して受信ベースバンド信号を生成し、分離部１６へ出力する。
【００５１】
分離部１６は、無線信号受信部１５から入力された受信ベースバンド信号を制御信号とデータ信号とに分離し、制御信号を制御信号受信部１８へ振り分けるとともに、データ信号をデータ信号受信部１７へ振り分ける。
【００５２】
データ信号受信部１７は、分離部１６から入力されたデータ信号に対して復調処理などを含む受信処理を実行し、端末２から送信されてきたデータ系列を復元する。データ信号受信部１７により復元されたデータ系列は、図示を省略している他の装置、例えば基地局１を統括する上位装置などへ転送される。
【００５３】
制御信号受信部１８は、分離部１６から入力された制御信号に対して復調処理などを含む受信処理を実行し、端末２から送信されてきた制御情報を復元する。
【００５４】
本実施の形態においては、基地局１と端末２との間で、あらかじめ決定しておいたＳＲＳの配置パターンの候補の中から使用するＳＲＳの配置パターンを選択することとしたが、さらに多様化させるため、時間および周波数上の配置をパラメタ化して基地局１から端末２へ送信してもよい。例えば、ＳＲＳを送信するＴＴＩの数、各ＴＴＩ内で送信するＳＲＳの数、周波数軸上のＳＲＳの密度、周波数ホッピングパターン、ホッピング帯域および時間オフセット等を定義してもよい。例えば、図２に示した例の場合、基地局１は、５ＴＴＩ分のＳＲＳを送信する事を指示すればよい。定期的にＳＲＳを送信する場合、ＳＲＳを送信する周期を定義してもよい。ＳＲＳの送信周期はＳＲＳを送る時間間隔となる。例えば、３ＧＰＰ規格に従った場合、２ＴＴＩ毎または１６０ＴＴＩ毎にＳＲＳを送るように設定できる。
【００５５】
また、端末２が非定期的にＳＲＳを送る場合、基地局１は、送信するＳＲＳの数、各ＳＲＳの時間および周波数上の位置を指定すればよい。端末２に対してシンボル単位で非定期的にＳＲＳ送信を指示する場合、基地局１は、送信するＳＲＳの数の情報と、各ＳＲＳの送信位置の情報、すなわち時間および周波数の情報とを含んだＳＲＳ送信の指示を送信し、端末２が基地局１からＳＲＳ送信の指示を受信してからｋ番目のＴＴＩにおけるｎ番目のＳＣ−ＦＤＭＡシンボルにＳＲＳを配置するように指示してもよい。なお、ｋおよびｎは正の整数である。ＴＴＩ内の最後のＳＣ−ＦＤＭＡシンボルにＳＲＳを配置して送信する場合、端末２は、基地局１からの合図、すなわちＳＲＳの送信指示を受信してからｋ番目のＴＴＩでＳＲＳを送信するようにしてよい。
【００５６】
図４に示した端末２は、ＲＲＣ情報に含まれる制御情報により基地局１からＳＲＳの配置パターンの指示を受けることとしたが、ＤＣＩを使用してＳＲＳの配置パターンの指示を受けることとしてもよい。ＤＣＩを使用してＳＲＳの配置パターンの指示を受ける端末の構成例を図６に示す。図６に示した端末２ａは、図４に示した端末２の制御信号受信部２４を制御信号受信部２４ａとしたものである。その他の構成は端末２と同様である。制御信号受信部２４ａは、ＤＣＩ解読部２４２を備える。ＤＣＩ解読部２４２は、基地局１から受信した制御信号に含まれるＤＣＩの内容を解読する。ＤＣＩには、端末２が基地局１へ送信するＳＲＳの配置に関連する情報、具体的には、ＳＲＳの配置情報、ユーザ多重用の制御情報およびＴＴＩの長さの情報が含まれている。
【００５７】
また、ＤＣＩおよびＲＲＣ情報の双方を使用してＳＲＳの配置の指示を行うようにすることも可能である。ＤＣＩおよびＲＲＣ情報の双方を使用してＳＲＳの配置の指示を受ける端末の構成例を図７に示す。図７に示した端末２ｂは、図４に示した端末２の制御信号受信部２４を制御信号受信部２４ｂとしたものである。その他の構成は端末２と同様である。制御信号受信部２４ｂは、ＲＲＣ解読部２４１およびＤＣＩ解読部２４２を備える。ＲＲＣ解読部２４１は、図４に示した端末２の制御信号受信部２４が備えているＲＲＣ解読部２４１と同じものである。ＤＣＩ解読部２４２は、図６に示した端末２ａの制御信号受信部２４ａが備えているＤＣＩ解読部２４２と同じものである。図７に示した端末２ｂの場合、基地局１は、ＤＣＩおよびＲＲＣ情報を使用してＳＲＳの配置に関連する制御情報を送信する。例えば、基地局１は、ＳＲＳの配置情報、ユーザ多重用の制御情報およびＴＴＩの長さの情報をＲＲＣ情報に設定し、ＲＲＣ情報のどこに設定されている情報を解読すればよいかを示す情報をＤＣＩに設定して端末２ｂへ送信する。この場合、端末２ｂでは、まず、制御信号受信部２４ｂのＤＣＩ解読部２４２がＤＣＩを解読してＲＲＣ情報のどこにＳＲＳの配置情報などが存在するのかを把握する。次に、ＲＲＣ解読部２４１が、ＤＣＩ解読部２４２による解読結果に従い、ＲＲＣ情報に含まれる制御情報、すなわちＳＲＳの配置情報、ユーザ多重用の制御情報およびＴＴＩの長さの情報を解読する。ＲＲＣ情報は、上述した、ＳＲＳを送信するＴＴＩの数、各ＴＴＩ内で送信するＳＲＳの数、周波数軸上のＳＲＳの密度および周波数軸上のＳＲＳの密度などの情報を含むようにしてもよい。
【００５８】
図８は、実施の形態１にかかる端末の動作の一例を示すフローチャートである。上述した端末２は、図８に示した手順に従いＳＲＳを基地局１へ送信する。
【００５９】
端末２は、ＳＲＳ送信指示を基地局１から受信する（ステップＳ１１）。なお、端末２は、ＲＲＣ情報に含まれる制御情報を解読することにより、ＳＲＳの送信指示を検出する。このステップＳ１１において、端末２は、ＳＲＳの送信指示に加えて、データ送信用の時間および周波数の指定を受ける場合もある。次に、端末２は、ＳＲＳを生成し（ステップＳ１２）、ステップＳ１１で受信したＳＲＳ送信指示で指定された、ＴＴＩ内の時間および周波数にＳＲＳを配置して送信信号を生成する（ステップＳ１３）。このステップＳ１３において、端末２は、上記のステップＳ１１でＳＲＳ送信指示に加えてデータ送信用の時間および周波数が基地局１から指定されていた場合、データシンボルをＴＴＩ内の指定された時間および周波数に配置する処理も行う。次に、端末２は、ステップＳ１３で生成した、ＳＲＳが配置された信号を基地局１へ送信する（ステップＳ１４）。
【００６０】
なお、端末２として説明を行ったが、端末２ａおよび２ｂの動作も同様である。ただし、ステップＳ１１において解読する制御情報が異なる。
【００６１】
次に、ＳＲＳの配置例について説明する。
【００６２】
３ＧＰＰ  Ｒｅｌｅａｓｅ１２において、ＳＲＳの周波数軸上の密度はtransmissionCombなどによって基地局から端末に指定される。よって、３ＧＰＰ  Ｒｅｌｅａｓｅ１２に対応する通信システムの場合、transmissionCombを変えることで、ＳＲＳの周波数軸上の密度を変化させることができる。本実施の形態にかかる通信システムが３ＧＰＰ  Ｒｅｌｅａｓｅ１２に対応している場合、基地局１は、transmissionCombを変えることでＳＲＳの周波数軸上の密度の変更を端末２に指示するようにしてもよい。３ＧＰＰ  Ｒｅｌｅａｓｅ１２においてはＣｏｍｂ状にＳＲＳを配置する場合、周波数軸上にて１リソースエレメント（ＲＥ：Resource  Element）おきにＳＲＳを配置する構成としているが、周波数軸上のＳＲＳの間隔を２ＲＥ、３ＲＥ、４ＲＥ、５ＲＥまたは８ＲＥおきとするなど様々な間隔のＳＲＳの配置を用意し、その中からＳＲＳの配置を選択できるようにしてもよい。図９に周波数軸上の密度を変えてＳＲＳを配置する場合の具体例を示す。図中の四角形は３ＧＰＰにて規定されるリソースエレメントを示す。リソースエレメントのうち、黒い四角形はＳＲＳが送信されるシンボルであるＳＲＳシンボルを示す。図９においては、ＳＲＳが送信されるリソースエレメントの間隔を４個または２個とする例を示している。図中のリソースエレメントの数およびＳＲＳシンボルの数は一例であり、本実施の形態は、リソースエレメントの数およびＳＳＲＳシンボルの数を図９に示した数に制限するものではない。例えば、３ＧＰＰ  Ｒｅｌｅａｓｅ  １２において設定されているように１２００ＲＥ向けに本実施の形態を適用する事は可能である。
【００６３】
また、時間ごとにＳＲＳの配置を変えるようにしてもよい。具体例を図１０に示す。図９と同様に、黒い四角形がＳＲＳシンボルを示す。また、１ＴＴＩは３ＳＣ−ＦＤＭＡシンボルにより構成されている。図１０では、３ＳＣ−ＦＤＭＡシンボル間隔でＳＲＳを送信する場合の配置例、６ＳＣ−ＦＤＭＡシンボル間隔でＳＲＳを送信する場合の配置例、５ＳＣ−ＦＤＭＡシンボルにわたって連続でＳＲＳを送信する場合の配置例を示している。バースト送信の際は基地局が高速で伝送路状況を推定する必要があるため、複数ＳＣ−ＦＤＭＡシンボルにわたって連続でＳＲＳを送信する配置は、例えば、基地局が高速で伝送路状況を推定する必要があるバースト送信の際に使用する。
【００６４】
また、図１１に示したように、ＴＴＩごとにＳＲＳの時間軸上の配置を変えるようにしてもよい。図１１では、図９などと同様に、黒い四角形がＳＲＳシンボルを示す。１ＴＴＩは７ＳＣ−ＦＤＭＡシンボルにより構成されている。図１１に示した例では、周波数軸上のＳＲＳの位置は同じであるが、ＴＴＩ内の時間軸上のＳＲＳの位置がＴＴＩごとに変わる。
【００６５】
ＳＲＳは一般的にゼロではない値が設定されるが、基地局１がアップリンクにおける他端末によるシンボル干渉を測定するためにＳＲＳをゼロに設定するようにしてもよい。この場合、ＳＲＳの一部または全てをゼロに設定した配置を含む複数の候補を予め準備しておき、基地局１は、端末２に対して、上述した方法によりＳＲＳの配置に関連する情報を送信する。
【００６６】
また、ここまでは全てのＴＴＩの長さが同じであることを想定したが、アップリンクにおいて、ＴＴＩの長さを変えることも可能である。具体例を図１２に示す。図１２では、図９などと同様に、黒い四角形がＳＲＳシンボルを示す。図１２に示した例では、ＴＴＩ長＃１が５ＳＣ−ＦＤＭＡシンボル、ＴＴＩ長＃２が２ＳＣ−ＦＤＭＡシンボル、ＴＴＩ長＃３が７ＳＣ−ＦＤＭＡシンボル、ＴＴＩ長＃４が３ＳＣ−ＦＤＭＡシンボルとしている。この場合、選択可能なＴＴＩの長さのそれぞれについて、ＳＲＳの配置パターンの候補を複数準備しておき、基地局１は、上述した方法によりＴＴＩの長さの情報とＳＲＳの配置を示す情報とを含んだ制御情報を端末２へ送信する。端末２は、選択可能なＴＴＩの長さの情報と、選択可能なＴＴＩの長さのそれぞれにおけるＳＲＳの配置パターンの候補の情報とを保持しているものとする。基地局１は、端末２に対し、ＴＴＩの長さの情報とＳＲＳの配置を示す情報とを一纏めにして送信するのではなく、まずＴＴＩの長さの情報を先に送信し、その後にＳＲＳの配置を示す情報を送信するようにしてもよい。この場合、各ＴＴＩにおけるＳＲＳの配置を１ＳＣ−ＦＤＭＡシンボル単位で指定するようにしてもよい。
【００６７】
次に、実施の形態１にかかる端末２、２ａおよび２ｂを実現するハードウェアについて説明する。図１３は、実施の形態１にかかる端末２、２ａおよび２ｂのハードウェア構成例を示す図である。
【００６８】
端末２、２ａおよび２ｂは、図１３に示した制御回路１００により実現することができる。制御回路１００は、送信回路１０１、プロセッサ１０２、メモリ１０３および受信回路１０４を含んで構成されている。送信回路１０１は、プロセッサ１０２で生成された、基地局１への送信信号であるベースバンド信号を無線信号に変換して送信する回路である。プロセッサ１０２は、ＣＰＵ（Central  Processing  Unit、中央処理装置、処理装置、演算装置、マイクロプロセッサ、マイクロコンピュータ、プロセッサ、ＤＳＰともいう）、システムＬＳＩ（Large  Scale  Integration）などである。メモリ１０３は、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read-Only  Memory）等の、不揮発性または揮発性の半導体メモリ、磁気ディスク、フレキシブルディスク、光ディスク、コンパクトディスク、ミニディスクまたはＤＶＤ（Digital  Versatile  Disc）等である。受信回路１０４は、無線信号を受信してベースバンド信号に変換し、プロセッサ１０２に受け渡す回路である。
【００６９】
端末２、２ａおよび２ｂの分離部２２、データ信号受信部２３、制御信号受信部２４，２４ａ，２４ｂ、ＳＲＳ生成部２５、データ生成部２６、多重部２７および送信信号生成部２８は、それぞれに対応するプログラムをメモリ１０３から読み出してプロセッサ１０２が実行することにより実現できる。メモリ１０３はプロセッサ１０２が実施する各処理における一時メモリとしても使用される。また、無線信号受信部２１は、受信回路１０４により実現され、無線信号送信部２９は、送信回路１０１により実現される。
【００７０】
なお、分離部２２、データ信号受信部２３、制御信号受信部２４，２４ａ，２４ｂ、ＳＲＳ生成部２５、データ生成部２６、多重部２７および送信信号生成部２８を専用のハードウェアで実現してもよい。
【００７１】
図１４は、分離部２２、データ信号受信部２３、制御信号受信部２４，２４ａ，２４ｂ、ＳＲＳ生成部２５、データ生成部２６、多重部２７および送信信号生成部２８を専用のハードウェアで実現する場合のハードウェア構成図である。図１４に示した制御回路１００ａは、図１３に示したプロセッサ１０２およびメモリ１０３を処理回路１０５に置き換えたものである。処理回路１０５は、分離部２２、データ信号受信部２３、制御信号受信部２４，２４ａ，２４ｂ、ＳＲＳ生成部２５、データ生成部２６、多重部２７および送信信号生成部２８を実現する専用のハードウェアである。処理回路１０５は、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせた回路である。
【００７２】
なお、分離部２２、データ信号受信部２３、制御信号受信部２４，２４ａ，２４ｂ、ＳＲＳ生成部２５、データ生成部２６、多重部２７および送信信号生成部２８の一部を処理回路１０５で実現し、残りを図１３に示したプロセッサ１０２およびメモリ１０３で実現する構成としてもよい。
【００７３】
基地局１についても同様に、図１３または図１４に示したハードウェアにより実現することができる。基地局１のデータ生成部１１、制御信号生成部１２、送信信号生成部１３、分離部１６、データ信号受信部１７および制御信号受信部１８は、図１３に示したプロセッサ１０２およびメモリ１０３からなる回路、または、図１４に示した処理回路１０５により実現される。また、無線信号送信部１４は送信回路１０１により実現される。無線信号受信部１５は受信回路１０４により実現される。なお、本実施の形態および後述する他の実施の形態においては、各図に示した基地局１は機能単位であり、実装形態としては、単一の装置として図中に示した構成要素を全て含む場合のほか、図中の構成要素（または機能の全部または一部）を複数の装置に分散配置する場合も可能である。例えば、ベースバンド信号に関連する構成要素を親基地局装置とし、無線信号処理に関連する構成要素を子基地局装置として、両者を各種信号線にて接続する形態としてもよい。どのように分断配置するかについては、装置作製時に決定されていても、配置変更可能なように装置を作製し装置作製後に配置を決定する制御を行うなど、各種の実装形態により本発明を実施することが可能である。
【００７４】
このように、本実施の形態にかかる通信システムにおいては、アップリンクの伝送路推定で使用する参照信号であるＳＲＳのサブブロック内における配置の複数のパターンを予め決定しておき、基地局は、端末に対して、複数のパターンの中の１つを指定する。端末は、基地局より指定されたパターンに従いＳＲＳをサブフレーム内に配置して送信信号を生成し、基地局へ送信する。これにより、ＳＲＳの配置パターンを指示するために基地局が送信する制御情報が増加するのを抑えつつ、ＳＲＳの送信位置を変更することができる。
【００７５】
実施の形態２．
実施の形態２にかかる通信システムについて説明する。なお、本実施の形態の通信システムの構成は、図１に示した実施の形態１と同様である。本実施の形態の通信システムを構成する基地局および端末の構成は、実施の形態１の基地局および端末と同様である。
【００７６】
本実施の形態にかかる通信システムにおいては、ＴＴＩの長さが可変、すなわちアップリンク信号に長さが異なるＴＴＩが混在する構成を前提とする。また、最も短いＴＴＩ長を基準として時間軸上のＳＲＳの配置を決める。
【００７７】
図１５は、実施の形態２にかかる端末が送信するアップリンク信号の構成例を示す図である。図１５に示した例は、長さが異なるＴＴＩが混在する場合のＳＲＳの配置パターンの例を示している。上述したように、本実施の形態にかかる通信システムにおいて、ＳＲＳの送信位置、すなわち配置パターンは、最短のＴＴＩ長を基準として決める。例えば、図１５に示す例の場合、最短のＴＴＩ長は、ＴＴＩ長＃１の７ＳＣ−ＦＤＭＡシンボルであるので、７ＳＣ−ＦＤＭＡシンボル時間と一致する間隔でＳＲＳを配置する。これにより、各ＴＴＩにおいてＳＲＳが送信される配置とすることができる。なお、時間軸上のＳＲＳの配置は、３ＧＰＰで規定されている最も短いＴＴＩ長を用いて決定する、すなわち、ＳＲＳの時間軸上の間隔が、３ＧＰＰで規定されている最も短いＴＴＩ長と一致する配置としてもよい。
【００７８】
ＴＴＩの長さを示す制御情報およびＳＲＳの配置を示す制御情報は、実施の形態１と同様に、ＤＣＩおよびＲＲＣ情報の一方または双方を使用して、基地局１から端末２へ送信される。ＳＲＳの配置パターンの候補は予め決められているものとし、基地局１は、予め決められている複数の配置パターンの中から使用する配置パターンを選択し、選択結果を示す制御情報を端末２へ送信する。本実施の形態では、ＳＲＳが配置されるＳＣ−ＦＤＭＡシンボルの間隔、すなわちＳＲＳの時間軸上の間隔が最も短いＴＴＩ長と一致するため、ＳＲＳの配置パターンの候補は、１ＳＣ−ＦＤＭＡシンボルにおける周波数方向の位置のみを示す。基地局１は、ＳＲＳの配置を示す制御情報として、ＳＲＳの配置パターンを示す情報および最も短いＴＴＩ長の情報を端末２へ送信する。なお、最も短いＴＴＩ長の情報を端末２が予め保持しておき、基地局１は、ＳＲＳの配置を示す制御情報としてＳＲＳの配置パターンを示す情報のみを送信するようにしてもよい。
【００７９】
本実施の形態は、定期的にＳＲＳを送る場合および非定期的にＳＲＳを送る場合の双方に用いることができる。非定期的にＳＲＳを送信する場合、基地局１から指定されたＴＴＩにおいて端末２が送信するＳＲＳの数は１シンボル以上である。図１６は、端末２が非定期的にＳＲＳを送信する場合のＳＲＳの配置の一例を示す図である。図１６に示した例では、ＳＲＳの配置が基地局１から端末２に対して指定され、端末２は、基地局１からの指示内容に従い、左から２番目のＴＴＩ内にＳＲＳを配置して送信している。
【００８０】
本実施の形態にかかる通信システムにおいては、基地局は、端末が非定期的にＳＲＳを送信する構成とする場合にシンボル単位で送信位置を指定できる。本実施の形態にかかる通信システムによれば、実施の形態１と同様の効果に加え、ＳＲＳの送信位置を指定する際の自由度が高まるという効果が得られる。
【００８１】
実施の形態３．
実施の形態３にかかる通信システムについて説明する。なお、本実施の形態の通信システムの構成は、図１に示した実施の形態１と同様である。本実施の形態の通信システムを構成する基地局および端末の構成は、実施の形態１の基地局および端末と同様である。
【００８２】
本実施の形態では、ＳＲＳのバースト送信について説明する。図１７は、実施の形態３にかかる端末２が送信するアップリンク信号内のＳＲＳの配置パターンの例を示す図である。図１７においてはＳＲＳが配置されている位置をハッチングで示している。図１７に示したように、本実施の形態にかかる端末２が送信するアップリンク信号は、ＳＲＳのメインバーストおよびサブバーストを含んで構成されている。メインバーストは、ＳＲＳが配置された連続する複数のＴＴＩにより構成されている。サブバーストは、ＳＲＳが配置されたＴＴＩのうち、メインバーストを構成していないＴＴＩである。すなわち、本実施の形態にかかる端末２は、複数の連続するＴＴＩにわたってＳＲＳを配置してメインバーストとして送信する。図１７では、２つのサブバーストが存在し、それらはメインバーストの前後に配置されている。
【００８３】
図１８は、実施の形態３にかかる端末２が送信するアップリンク信号内のＳＲＳの配置パターンの他の例を示す図である。図１７と同様に、図１８においてはＳＲＳが配置されている位置をハッチングで示している。図１８に示した例では、メインバーストおよび１つのサブバーストが送信される例を示している。図１７および図１８では、メインバーストとサブバーストの間が１ＴＴＩの場合の構成を示しているが一例である。メインバーストとサブバーストは２ＴＴＩ以上離れるようにしてもよい。また、メインバーストを構成するＴＴＩの数およびサブバーストを構成するＴＴＩの数も図１７および図１８の記載内容に限定されない。
【００８４】
ＳＲＳの配置、すなわちメインバーストおよびサブバーストの構成および配置は、実施の形態１，２と同様に、ＤＣＩおよびＲＲＣ情報の一方または双方を使用して、基地局１から端末２へ送信される。ＳＲＳの配置パターンの候補は予め決められているものとし、基地局１は、予め決められている複数の配置パターンの中から使用する配置パターンを選択し、選択結果を示す制御情報を端末２へ送信する。
【００８５】
このように、本実施の形態にかかる通信システムでは、メインバーストおよびサブバーストが形成されるようにＳＲＳを配置して送信する。これにより、実施の形態１と同様の効果に加えて以下の効果が得られる。すなわち、データをバースト送信する場合に、データシンボルを配置するＴＴＩと同じＴＴＩにＳＲＳを集中的に配置して伝送路推定を実施することができ、１サブフレーム内で送信するＳＲＳの数を増加させることなく、アップリンクの伝送路の推定精度を向上させることができる、という効果が得られる。
【００８６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８７】
１  基地局、２，２ａ，２ｂ  端末、３  通信システム、１１，２６  データ生成部、１２  制御信号生成部、１３，２８  送信信号生成部、１４，２９  無線信号送信部、１５，２１  無線信号受信部、１６，２２  分離部、１７，２３  データ信号受信部、１８，２４，２４ａ，２４ｂ  制御信号受信部、２５  ＳＲＳ生成部、２７  多重部、２４１  ＲＲＣ解読部、２４２  ＤＣＩ解読部。
【図１】
0006671220.tif 000002
【図２】
0006671220.tif 000003
【図３】
0006671220.tif 000004
【図４】
0006671220.tif 000005
【図５】
0006671220.tif 000006
【図６】
0006671220.tif 000007
【図７】
0006671220.tif 000008
【図８】
0006671220.tif 000009
【図９】
0006671220.tif 000010
【図１０】
0006671220.tif 000011
【図１１】
0006671220.tif 000012
【図１２】
0006671220.tif 000013
【図１３】
0006671220.tif 000014
【図１４】
0006671220.tif 000015
【図１５】
0006671220.tif 000016
【図１６】
0006671220.tif 000017
【図１７】
0006671220.tif 000018
【図１８】
0006671220.tif 000019